(57)【特許請求の範囲】
【請求項１】
互いに反対方向に動作してかご出入口を開閉し、戸閉位置に戸閉側端面が互いに対向して配置されるかごドアと、かご床に固定され、前記かごドアの移動を案内するかごシルと、それぞれの前記かごドアの戸閉側端部の高さ方向全体に渡って延在する戸当りゴムと、それぞれの前記かごドア下部の幅方向全体に渡って延在するドア下部気密材とを備えたエレベーター装置において、
一部が前記戸当りゴムの下端部に当接すると共に、他の一部が前記ドア下部気密材の側部に当接し、前記かごドアの戸閉時に、前記戸当りゴムの下方におけるそれぞれの前記ドア下部気密材の戸閉側端部間の隙間を塞ぐ戸当り下部気密材を備え、
前記戸当り下部気密材は、一方の前記かごドアに取付けられる樹脂から成る第１戸当り下部気密材と、他方の前記かごドアに取付けられるゴムから成る第２戸当り下部気密材とから成ることを特徴とするエレベーター装置。
【請求項２】
前記かごシルには、前記かご出入口の間口方向に沿って延びるシル溝が設けられていると共に、該シル溝には、前記戸当り下部気密材の一部が嵌合するように配置されていることを特徴とする請求項１に記載のエレベーター装置。
【請求項３】
前記第１戸当り下部気密材は、前記シル溝の側壁に摺接すると共に、前記第２戸当り下部気密材と前記シル溝の前記側壁との間には、隙間が設けられていることを特徴とする請求項２に記載のエレベーター装置。
【請求項４】
前記第１戸当り下部気密材は、一方の前記かごドアの戸閉側端面から出張り、前記第２戸当り下部気密材の戸閉側端面に当接する横幅寸法を有することを特徴とする請求項３に記載のエレベーター装置。
【請求項５】
前記第１戸当り下部気密材は第１戸当り下部気密材支持金具に支持され、かつ、前記第１戸当り下部気密材支持金具は、一方の前記かごドアに固定されていると共に、前記第２戸当り下部気密材は第２戸当り下部気密材支持金具に支持され、かつ、前記第２戸当り下部気密材支持金具は、他方の前記かごドアに固定されていることを特徴とする請求項４に記載のエレベーター装置。
【請求項６】
それぞれの前記戸当りゴムは、前記かごドアの戸閉側端部に取付けられる戸当りゴム支持部材にそれぞれ支持され、前記かごドアの戸閉時には、それぞれの前記戸当りゴムが互いに当接し、前記かごドア間の戸当り隙間を塞ぐことを特徴とする請求項５に記載のエレベーター装置。
【請求項７】
前記ドア下部気密材は、前記かごドアの下部の幅方向に渡って取付けられるドア下部気密材支持部材により支持されていることを特徴とする請求項６に記載のエレベーター装置。
【請求項８】
前記ドア下部気密材には連動機構が設けられ、該連動機構が動作することにより、前記かごドアの戸閉状態の時に前記ドア下部気密材を下降させて、前記かごドアの下端部と前記かごシルとの隙間を密封すると共に、前記かごドアの戸開状態の時に前記ドア下部気密材が前記かごシルから開離するように、前記ドア下部気密材を上下動させて、前記かごドアの開閉動作性能を維持することを特徴とする請求項７に記載のエレベーター装置。
【発明の詳細な説明】
【技術分野】
【０００１】
本発明はエレベーター装置に係り、特に、かご出入口を開閉するドア本体を備えているものに好適なエレベーター装置に関する。
【背景技術】
【０００２】
一般に、気密性を要するエレベーター装置には、かごドアの戸閉時に、かごドアの下端部とかごシルとの隙間を密封するドア下部気密材が設けられている。そして、かごドアの戸開動作時には、ドア下部気密材とかごシルとを非接触状態に保ち、かごドアの開閉動作性能を維持する連動機構を備えたものが、特許文献１に開示されている。
【０００３】
また、前述したドア下部気密材及び連動機構を備えたエレベーター装置にあって、ドア下部気密材を、上下方向に長い形状の長孔を有する可動板に支持し、積載によるかご床の沈降量にドア下部気密材を追従させ、積載によるかご床の沈降の有無によらず、かごドアの戸閉時に、ドア下部気密材によりかごドアの下端部とかごシルとの隙間を密封するものが、特許文献２に開示されている。
【０００４】
更に、特許文献１及び２には開示されていないが、互いに反対方向に動作してかご出入口を開閉し、戸閉位置に戸閉側端面が互いに対向して配置されるかごドアを備えたかごドア装置に、それぞれのかごドアの戸閉側端部の高さ方向全体に渡って延在する戸当りゴムを備え、戸当り隙間を塞ぐような構成が知られている。
【先行技術文献】
【特許文献】
【０００５】
【特許文献１】国際公開第２０１４／０３０２１７号
【特許文献２】特開２０１４−１５１９７１号公報
【発明の概要】
【発明が解決しようとする課題】
【０００６】
しかしながら、特許文献１及び２に記載されているドア下部気密材は、それぞれのかごドアの幅方向全体に渡って延在するものであると共に、戸当りゴムは、それぞれのかごドアの戸閉側端部の高さ方向全体に渡って延在するものであることから、両引きかごドア装置にあって、かごドアの戸閉時に、戸当りゴムの下方におけるそれぞれのドア下部気密材の戸閉側端部間に隙間が形成されてしまうという課題があった。
【０００７】
本発明は上述の点に鑑みなされたもので、その目的とするところは、かごドアの戸閉時に、戸当りゴムの下方におけるそれぞれのドア下部気密材の戸閉側端部間の隙間を密封することができ、気密性を高めることのできるエレベーター装置を提供することにある。
【課題を解決するための手段】
【０００８】
本発明のエレベーター装置は、上記目的を達成するために、互いに反対方向に動作してかご出入口を開閉し、戸閉位置に戸閉側端面が互いに対向して配置されるかごドアと、かご床に固定され、前記かごドアの移動を案内するかごシルと、それぞれの前記かごドアの戸閉側端部の高さ方向全体に渡って延在する戸当りゴムと、それぞれの前記かごドア下部の幅方向全体に渡って延在するドア下部気密材とを備えたエレベーター装置において、
一部が前記戸当りゴムの下端部に当接すると共に、他の一部が前記ドア下部気密材の側部に当接し、前記かごドアの戸閉時に、前記戸当りゴムの下方におけるそれぞれの前記ドア下部気密材の戸閉側端部間の隙間を塞ぐ戸当り下部気密材を備え、前記戸当り下部気密材は、一方の前記かごドアに取付けられる樹脂から成る第１戸当り下部気密材と、他方の前記かごドアに取付けられるゴムから成る第２戸当り下部気密材とから成ることを特徴とする。
【発明の効果】
【０００９】
本発明によれば、かごドアの戸閉時に、戸当りゴムの下方におけるそれぞれのドア下部気密材の戸閉側端部間の隙間を密封することができ、気密性を高めることのできる。
【図面の簡単な説明】
【００１０】
【図１】本発明のエレベーター装置の実施例１を示し、かごドアを乗場側から見た裏面正面図である。
【図２】図１のＡ−Ａ線に沿う縦断面図である。
【図３】図１のＢ−Ｂ線に沿う横断面図である。
【図４】本発明のエレベーター装置の実施例１における左戸当り下部気密材の上面図である。
【図５】本発明のエレベーター装置の実施例１における右戸当り下部気密材の上面図である。
【図６】本発明のエレベーター装置の実施例１における左戸当り下部気密材の正面図である。
【図７】本発明のエレベーター装置の実施例１における右戸当り下部気密材の正面図である。
【発明を実施するための形態】
【００１１】
以下、図示した実施例に基づいて本発明のエレベーター装置を説明する。なお、各図において、同一構成部品には同符号を使用する。
【実施例１】
【００１２】
図１乃至図３に、本発明のエレベーター装置の実施例１を示す。
【００１３】
該図に示す如く、本実施例のエレベーター装置は、互いに反対方向に動作してかご出入口を開閉し、戸閉位置に戸閉側端面が互いに対向して配置されるかごドア１ａ、１ｂと、かご床に固定され、かごドア１ａ、１ｂの移動を案内するかごシル２とを備えており、かごドア１ａ、１ｂは、ドアモータ（図示せず）の駆動力によって、かごシル２に沿って水平方向に移動するようになっている。
【００１４】
かごドア１ａ、１ｂの戸閉側端部には、その高さ方向全体に渡って延在する戸当りゴム３ａ、３ｂが配設されており、これらの戸当りゴム３ａ、３ｂは、図２及び図３に示すように、かごドア１ａ、１ｂの戸閉側端部に取付けられる戸当りゴム支持部材４ａ、４ｂにより支持されている。そして、かごドア１ａ、１ｂの戸閉時には、戸当りゴム３ａ、３ｂが互いに当接し、かごドア１ａ、１ｂ間の戸当り隙間を塞ぐようになっている。
【００１５】
また、かごドア１ａ、１ｂの下部には、その幅方向全体に渡って延在するドア下部気密材５ａ、５ｂが備えられており、これらのドア下部気密材５ａ、５ｂは、図２及び図３に示すように、かごドア１ａ、１ｂの下部の幅方向に渡って取付けられるドア下部気密材支持部材６ａ、６ｂにより支持されている。
【００１６】
また、これらのドア下部気密材５ａ、５ｂには、図示しないが、特許文献１に記載されている連動機構と同様な構成の連動機構が設けられ、かごドア１ａ、１ｂの戸閉状態の時にドア下部気密材５ａ、５ｂを下降させて、かごドア１ａ、１ｂの下端部とかごシル２との隙間を密封させ、かごドア１ａ、１ｂの戸開状態の時にドア下部気密材５ａ、５ｂがかごシル２から開離するように、ドア下部気密材５ａ、５ｂを上下動させ、かごドア１ａ、１ｂの開閉動作性能を維持するようになっている。
【００１７】
また、かごドア１ａの下部には、一部が戸当りゴム３ａ、３ｂの下端部に当接すると共に、他の一部がドア下部気密材５ａの側部に当接し、かごドア１ａ、１ｂの戸閉時に、戸当りゴム３ａ、３ｂの下方におけるそれぞれのドア下部気密材５ａ、５ｂの戸閉側端部間の隙間の一部を塞ぐ第１戸当り下部気密材である左ドア戸当り下部気密材７ａが設けられている。一方、かごドア１ｂの下部には、一部が戸当りゴム３ｂの下端部に当接すると共に、他の一部がドア下部気密材５ｂの側部に当接し、かごドア１ａ、１ｂの戸閉時に、戸当りゴム３ａ、３ｂの下方におけるそれぞれのドア下部気密材５ａ、５ｂの戸閉側端部間の隙間の一部を塞ぐ第２戸当り下部気密材である右ドア戸当り下部気密材７ｂが設けられている。
【００１８】
また、かごシル２には、かご出入口の間口方向に沿って延びるシル溝２ａが設けられており、左ドア戸当り下部気密材７ａは、図２に示すように、その一部が、かごシル２のシル溝２ａに嵌合するように配置されている。なお、右ドア戸当り下部気密材７ｂも同様に、その一部が、かごシル２のシル溝２ａに嵌合するように配置されている。
【００１９】
このように、左ドア戸当り下部気密材７ａ及び右ドア戸当り下部気密材７ｂを、シル溝２ａに嵌合可能とする位置にシル２を設けた構造となっている。
【００２０】
また、左ドア戸当り下部気密材７ａは、図２及び図３に示すように、第１戸当り下部気密材支持金具８ａに支持されると共に、第１戸当り下部気密材支持金具８ａは、締結ボルト９ａによりかごドア１ａに締結固定されている。一方、右ドア戸当り下部気密材７ｂは、図３に示すように、第２戸当り下部気密材支持金具８ｂに支持されると共に、第２戸当り下部気密材支持金具８ｂは、締結ボルト９ｂによりかごドア１ｂに締結固定されている。
【００２１】
左ドア戸当り下部気密材７ａは、摺動性に優れた粘弾性材、例えば樹脂で成形されていると共に、右ドア戸当り下部気密材７ｂは、緩衝性に優れた粘弾性材、例えばゴムで成形されている。また、左ドア戸当り下部気密材７ａは、図２に示すように、かごドア１ａの開閉動作性能を低下させない範囲で、シル溝２ａの側壁２ｂに摺接する縦幅寸法を有している（この理由は、後述する）。一方、右ドア戸当り下部気密材７ｂは、シル溝２ａの側壁２ｂとの間に若干の隙間が形成される縦幅寸法を有している（この理由は、後述する）。
【００２２】
更に、左ドア戸当り下部気密材７ａは、図１及び図３に示すように、かごドア１ａの戸閉側端面から出張り、右ドア戸当り下部気密材７ｂの戸閉側端面に当接する横幅寸法を有している。従って、右ドア戸当り下部気密材７ｂの横幅寸法は、左ドア戸当り下部気密材７ａの横幅寸法より短く設定されている。
【００２３】
次に、図４乃至図７を用いて左ドア戸当り下部気密材７ａ及び右ドア戸当り下部気密材７ｂについて説明する。
【００２４】
左ドア戸当り下部気密材７ａは、図４及び図６に示すように、気密材締結ねじ１０により第１戸当り下部気密材支持金具８ａに取付けられていると共に、第１戸当り下部気密材支持金具８ａには、締結ボルト９ａが挿通される支持金具締結用孔１１が形成されている。
【００２５】
右ドア戸当り下部気密材７ｂは、図５及び図７に示すように、気密材締結ねじ１２により第２戸当り下部気密材支持金具８ｂに取付けられていると共に、第２戸当り下部気密材支持金具８ｂには、締結ボルト９ｂが挿通される支持金具締結用孔１３が形成されている。
【００２６】
図示のように、左ドア戸当り下部気密材７ａの第１戸当り下部気密材支持金具８ａへの固定方法と、右ドア戸当り下部気密材７ｂの第２戸当り下部気密材支持金具８ｂへの固定方法とが異なるのは、左ドア戸当り下部気密材７ａを成形する素材と、右ドア戸当り下部気密材７ｂを成形する素材とが異なるためである。
【００２７】
このような本実施例にあっては、かごドア１ａ、１ｂが戸閉状態となると、戸当りゴム３ａ、３ｂが互いに当接し、かごドア１ａ、１ｂ間の戸当り隙間を塞ぐことができ、また、連動機構を介してドア下部気密材５ａ、５ｂが下降し、かごドア１ａ、１ｂの下端部とかごシル２との隙間を密封できる。そして、左ドア戸当り下部気密材７ａは、その一部が戸当りゴム３ａ、３ｂの下端部に当接すると共に、他の一部がドア下部気密材５ａの側部に当接している。
【００２８】
また、右ドア戸当り下部気密材７ｂは、その一部が戸当りゴム３ｂの下端部に当接すると共に、他の一部がドア下部気密材５ｂの側部に当接している。そして、左ドア戸当り下部気密材７ａの戸閉側端面と、右ドア戸当り下部気密材７ｂの戸閉側端面とは互いに密着することができる。これにより、戸当りゴム３ａ、３ｂの下方におけるそれぞれのドア下部気密材５ａ、５ｂの戸閉側端部間の隙間を密封することができる。
【００２９】
本実施例のエレベーター装置によれば、一部が戸当りゴム３ａ、３ｂの下端部に当接すると共に、他の一部がドア下部気密材５ａ、５ｂの側部に当接し、かごドア１ａ、１ｂの戸閉時に、戸当りゴム３ａ、３ｂの下方におけるそれぞれのドア下部気密材５ａ、５ｂの戸閉側端部間の隙間を塞ぐ左ドア戸当り下部気密材７ａ、右ドア戸当り下部気密材７ｂを設けたことにより、かごドア１ａ、１ｂの戸閉時に、戸当りゴム３ａ、３ｂの下方におけるそれぞれのドア下部気密材５ａ、５ｂの戸閉側端部間の隙間を密封することができる。これによって、本実施例によるエレベーター装置では、気密性を高めることができる。
【００３０】
また、左ドア戸当り下部気密材７ａ、右ドア戸当り下部気密材７ｂは、その一部が、かごシル２のシル溝２ａに嵌合するように配置されることにより、戸当りゴム３ａ、３ｂにおけるそれぞれのドア下部気密材５ａ、５ｂの戸閉側端部間の隙間を確実に密封することができる。
【００３１】
更に、かごドア１ａに取付けられる左ドア戸当り下部気密材７ａを摺動性に優れた粘弾性材、即ち樹脂で成形すると共に、かごドア１ｂに取付けられる右ドア戸当り下部気密材７ｂを緩衝性に優れた粘弾性材、即ちゴムで成形することにより、左ドア戸当り下部気密材７ａを比較的硬度の高いものとしつつ、かごドア１ａ、１ｂの戸閉時に、左ドア戸当り下部気密材７ａと右ドア戸当り下部気密材７ｂとが当接したときに生じる衝突音を低減することができる。
【００３２】
また、左ドア戸当り下部気密材７ａは、シル溝２ａの側壁２ｂに摺接する縦幅寸法を有していると共に、右ドア戸当り下部気密材７ｂは、シル溝２ａの側壁２ｂとの間に若干の隙間が形成される縦幅寸法を有していることにより、摺動性に優れる左ドア戸当り下部気密材７ａをシル溝２ａの側壁２ｂに当接させて気密性を高める一方、摺動性に劣る右ドア戸当り下部気密材７ｂとシル溝２ａの側壁２ｂは非接触状態を保ち、これによって、気密性の向上を図りつつ、かごドア１ａ、１ｂの開閉動作性能を維持することができる。
【００３３】
更に、左ドア戸当り下部気密材７ａは、かごドア１ａの戸閉側端面から出張り、右ドア戸当り下部気密材７ｂの戸閉側端面に当接する横幅寸法を有することにより、気密性に優れる左ドア戸当り下部気密材７ａによる閉塞範囲を、右ドア戸当り下部気密材７ｂの閉塞範囲より大きくし、さらに気密性の向上を図ることができる。
【００３４】
なお、本発明は、上記の実施形態例に限定されるものではなく、様々な変形例を含む。例えば、上記の実施形態例は、本発明を分かりやすく説明するために詳細に説明したものであり、本発明は、必ずしも説明した全ての構成を備える態様に限定されるものではない。
【００３５】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【符号の説明】
【００３６】
１ａ、１ｂ…かごドア、２…かごシル、２ａ…シル溝、２ｂ…シル溝の側壁、３ａ、３ｂ…戸当りゴム、４ａ、４ｂ…戸当りゴム支持部材、５ａ、５ｂ…ドア下部気密材、６ａ、６ｂ…ドア下部気密材支持部材、７ａ…左ドア戸当り下部気密材、７ｂ…右ドア戸当り下部気密材、８ａ…第１戸当り下部気密材支持金具、８ｂ…第２戸当り下部気密材支持金具、９ａ、９ｂ…締結ボルト、１０、１２…気密材締結ねじ、１１、１３…支持金具締結用孔。
【図１】
0006339516.tif 000002
【図２】
0006339516.tif 000003
【図３】
0006339516.tif 000004
【図４】
0006339516.tif 000005
【図５】
0006339516.tif 000006
【図６】
0006339516.tif 000007
【図７】
0006339516.tif 000008